(57)【要約】【課題】ハンドホールの壁の厚さに応じて最適な長さに調整できる調整機能を有するベルマウスを提供する。優れた止水性を得ることができる接続部材セット及び施工方法を提供する。【解決手段】長尺配管をハンドホールに接続する際に用いるベルマウス１０であって、円形のベルを持つベル部１１と、ベル部１１の最大径よりも径が小さい円筒部１２とを有し、円筒部１２の外面にねじ込み用の螺旋状突起１２ａ〜１２ｈが形成され、円筒部１２の円周に沿って該円筒部１２の中心軸Ｘに直交する方向の仮想円（浅溝１２ｉ〜１２ｏに相当）を描いたとき該仮想円と交差する部分の螺旋状突起１２ａ〜１２ｈが欠落する様に、螺旋状突起１２ａ〜１２ｈを断続させる。【選択図】図１
2014207762.tif 000002
【特許請求の範囲】
【請求項１】
長尺配管をハンドホールに接続する際に用いるベルマウスであって、
円形のベルを持つベル部と、
前記ベル部の最大径よりも径が小さい円筒部とを有し、
前記円筒部の外面に、ねじ込み用の螺旋状突起が形成され、
前記円筒部の円周に沿って、該円筒部の中心軸に直行する方向の仮想円を描いたとき、該仮想円と交差する部分の前記螺旋状突起が欠落する様に、前記螺旋状突起を断続させてなることを特徴とするベルマウス。
【請求項２】
前記螺旋状突起の前記中心軸に平行な方向の幅をＷｍｍとし、前記螺旋状突起のピッチをＰｍｍ／回転とするとき、
前記螺旋状突起を、少なくともＷ／Ｐ回転分、断続させてなる請求項１に記載のベルマウス。
【請求項３】
前記仮想円の位置に、連続的又は断続的に、浅溝を形成する請求項１又は２に記載のベルマウス。
【請求項４】
前記ベル部の内周縁に締め付け工具用係合部を設けた請求項１〜３のいずれか１項に記載のベルマウス。
【請求項５】
請求項１〜４のいずれか１項に記載のベルマウス、及び、接続部材を備える接続部材セットであって、
前記接続部材は、
鍔部を介して該鍔部の両側に筒部を有し、一方の筒部には、前記ねじ込み部の螺旋状突起がねじ込まれるねじ受け部を有し、他方の筒部には、長尺配管を接続する接続部を有する接続部材セット。
【請求項６】
前記一方の筒部の外周面に、止水シートが設けられている請求項５に記載の接続部材セット。
【請求項７】
請求項５又は６に記載の接続部材セットを用いて、長尺配管をハンドホールに接続する施工方法。
【発明の詳細な説明】
【技術分野】
【０００１】
本発明は、給電・通信ケーブル類を多数本束ねて保護・挿通するための硬質可撓性ポリエチレン管（以下簡略化のためFlexible Electric Pipe、略して「ＦＥＰ管」と記す）などの配管をハンドホールに接続する際に用いるベルマウス及び接続部材セットに関し、特に、壁面の厚さが違う様々なハンドホールに適用することができる様に汎用性を高め、さらに優れた止水性を得るための技術に関するものである。
【背景技術】
【０００２】
従来、ハンドホールにＦＥＰ管を接続する際には、例えばコンクリート製のハンドホールに穿設した複数の配管用貫通孔の外側からＦＥＰ管を挿入し、ハンドホールの内腔に突出したＦＥＰ管の先端にベルマウスをねじ込み、該ベルマウスを防水性の接着剤で接着固定している。
また、ベルマウスに締め付け部材を組み合わせて、接着剤を使用せずにハンドホールにＦＥＰ管を接続する技術が特許文献１〜３に記載されている。
【先行技術文献】
【特許文献】
【０００３】
【特許文献１】特許第4828332号公報
【特許文献２】特許第4961174号公報
【特許文献３】特許第3090447号公報
【発明の概要】
【発明が解決しようとする課題】
【０００４】
特許文献１〜３では、ハンドホールの壁の内側に顔を覗かせるように突出させたベルマウスをＦＥＰ管の内面にねじ込み、ハンドホールの壁の外側に密着させる締め付け部材をＦＥＰ管の外面にねじ込んでいる。よって、ベルマウスとＦＥＰ管との間、及びＦＥＰ管と締め付け部材との間の両方から地下水や雨水が浸入する可能性があり、止水対策が難しい。
【０００５】
またベルマウスと締め付け部材とが直接ねじ込まれていない分、クリアランスを大きく取ることになるのでガタツキが出やすい。また、ベルマウス、ＦＥＰ管及び締め付け部材の３個のパーツを同時にねじ込むため、ＦＥＰ管は管体の内面から外方向への力と、外面から内方向への力とを同時に受けるため、外側へ膨らむことも内側へ縮むこともできず、ただベルマウスと締め付け部材との間に挟まれているだけである。よって、ＦＥＰ管の弾性を緩み止め防止や止水性の向上のために生かすことができない。
【０００６】
そこで、例えば締め付け部材の内側からベルマウスを直接ねじ込めるように形成し、ベルマウスと締め付け部材とでハンドホールの壁をはさみ込むようにすると、水が浸入する箇所が一箇所になるので止水対策が比較的容易であり、またガタツキが出にくく、ＦＥＰ管の介在により摩擦抵抗を下げてしまうこともない。このような構成では、ハンドホールの壁の厚さに合わせた最適な長さのベルマウスを準備しなければならないので面倒であり、あるいは壁の厚さに応じてベルマウスの長さを切断調節できる様な工夫が必要である。
【０００７】
しかしながら、ベルマウスには螺旋ねじが形成されており、長さ調節の為に切断すると螺旋の山部が斜めに切断されてねじ込み先端面の美観が損なわれるのみならず、切断面まわりに残った傷によって、給電・通信ケーブル類の挿通抵抗を高めてこれらのケーブルの外周面に傷をつけ、将来的に想定外の問題を生じさせるおそれがある。
【０００８】
本発明は以上のような従来の課題を考慮してなされたものであり、ハンドホールの壁の厚さに応じて最適な長さに調整できる調整機能を有するベルマウスにおいて、切断面が綺麗な面となり傷を残さないことによって、給電・通信ケーブルの傷付け事故を防止できるように工夫したものである。また、合わせてハンドホールと接続部材との間に優れた止水性を得ることができる接続部材セット及び施工方法を提供するものである。
【課題を解決するための手段】
【０００９】
本発明に係るベルマウスは、長尺配管をハンドホールに接続する際に用いるベルマウスであって、円形のベルを持つベル部と、前記ベル部の最大径よりも径が小さい円筒部とを有し、前記円筒部の外面に、ねじ込み用の螺旋状突起が形成され、前記円筒部の円周に沿って、該円筒部の中心軸に直行する方向の仮想円を描いたとき、該仮想円と交差する部分の前記螺旋状突起が欠落する様に、前記螺旋状突起を断続させてなる。
【００１０】
前記ベルマウスにおいて、前記螺旋状突起の前記中心軸に平行な方向の幅をＷｍｍとし、前記螺旋状突起のピッチをＰｍｍ/回転とするとき、前記螺旋状突起を、少なくともＷ／Ｐ回転分、断続させてなることが好ましい。
前記ベルマウスにおいて、前記仮想円の位置に、連続的又は断続的に、浅溝を形成することが好ましい。
【００１１】
前記ベルマウスにおいて、前記ベル部の内周縁に締め付け工具用係合部を設けることが好ましい。
本発明に係る接続部材セットは、前記ベルマウス、及び、接続部材を備える接続部材セットであって、前記接続部材は、鍔部を介して該鍔部の両側に筒部を有し、一方の筒部には、前記ねじ込み部の螺旋状突起がねじ込まれるねじ受け部を有し、他方の筒部には、長尺配管を接続する接続部を有する。
【００１２】
前記接続部材セットにおいて、前記一方の筒部の外周面に、止水シートが設けられていることが好ましい。
本発明に係る施工方法は、上記接続部材セットを用いて、長尺配管をハンドホールに接続する。
【発明の効果】
【００１３】
本発明のベルマウスは、仮想円と交差する部分の螺旋状突起が欠落するように、前記螺旋状突起を断続させているので、該螺旋状突起を傷付けずにベルマウスを切断して、ベルマウスの長さを調整することができる。螺旋状突起が傷付いてバリなどが生じると、ねじ込みの際に作業の妨げになったり、ケーブル類の挿通作業及び挿通後の安全性に悪影響を及ぼすおそれがあるが、本発明のベルマウスは、螺旋状突起を傷付けずに切断することができるので、このような問題が起こらない。また、本発明の接続部材セットを使用すれば、地下水や雨水がハンドホール内に浸入してハンドホール内でケーブル類に錆を生じさせという問題も防止できる。
【図面の簡単な説明】
【００１４】
【図１】本発明に係る接続部材セットを示す外観図である。
【図２】接続部材を接続部の側から見た外観図である。
【図３】接続部が有する凸部の短手方向断面の拡大図である。
【図４】ベルマウスの正面図である。
【図５】ベルマウスの裏面図である。
【図６】ベルマウスの側面図である。
【図７】接続部材の正面図である。
【図８】接続部材の裏面図である。
【図９】接続部材の側面図である。
【発明を実施するための形態】
【００１５】
＜実施形態１＞
以下、図面に示した実施形態に基づいて本発明を詳細に説明する。
図１に示す本発明に係る接続部材セット１は、ＦＥＰ管等の長尺配管をハンドホールに接続する際に用いる樹脂製品であり、ベルマウス１０、接続部材２０及びキャップ部材３０を備える。
【００１６】
ベルマウス１０は、ベル部１１、ベル部１１の最大径よりも径が小さい円筒部１２、及び、ベル部１１と円筒部１２との間に位置するストレート部１３とを有する。
ベル部１１は、円形のベル１１ａと、ベル部の内周縁に設けられた締め付け工具用係合部１１ｂ（例えば等間隔で２箇所以上に設けられた突起又は窪み）を有する。
【００１７】
ベル１１ａは、ハンドホールに穿設した配管用貫通孔のハンドホールの内側の縁に引っ掛けるため、及び電線を保護するために設けられた出っ張りである。締め付け工具用係合部１１ｂは、ハンドホールの内側からベルマウス１０をねじ込む際に、工具などが引っ掛かるように固定するために用いられ、ねじ込みの作業性を向上させる。円筒部１２の外面にねじ込み用の螺旋状突起１２ａ〜１２ｈが形成されている。円筒部１２の円周に沿って、円筒部１２の中心軸Ｘ（図１中の一点鎖線）に直行する方向の仮想円を描いたとき、該仮想円と交差する部分の螺旋状突起が欠落する様に、螺旋状突起を断続させている。
【００１８】
円筒部１２は、螺旋状突起１２ａ〜１２ｈが途切れた部分（１２ａと１２ｂの間、１２ｂと１２cの間、１２ｃと１２ｄの間、１２ｄと１２ｅの間、１２ｅと１２ｆの間、１２ｆと１２ｇの間、１２ｇと１２ｈの間）のそれぞれにおいて、仮想円の位置に、連続的又は断続的に、螺旋状突起１２ａ〜１２ｈを傷付けずに円筒部１２を中心軸Ｘに垂直な断面で切断できる切断位置を示す浅溝１２ｉ〜１２ｏ（ラインでもよい）を形成することが好ましい。螺旋状突起１２ａ〜１２ｈを傷付けずに切断できれば切断作業が容易になり、断面位置を示す浅溝やラインがあれば、さらに切断作業が容易になる。
【００１９】
なお、図１に示す螺旋状突起１２ａ〜１２ｈは、それぞれが２巻き程度であるが、個々の螺旋状突起の巻き数は特にこれに限定されるものではなく、切断位置を増やしたい場合には該巻き数を少なくすることができる。なお該巻き数は螺旋の１巻き程度でも良く、２ピッチ以上でも良い。
【００２０】
また図１では螺旋状突起が半巻き程度途切れているが、何巻き程度途切れているかはねじ山間の間隔やねじ山の幅などによって変わるものであり、要は中心軸Ｘに垂直な断面で螺旋状突起を傷付けずに切断できる程度に螺旋状突起が途切れていればよい。なお中心軸Ｘに垂直な断面で螺旋状突起を傷付けずに切断できる様にするには、螺旋状突起の中心軸Ｘに平行な方向の幅をＷｍｍ（図６参照）とし、螺旋状突起のピッチをＰｍｍ／回転（図６参照）とするとき、螺旋状突起を、少なくともＷ／Ｐ回転分、断続させる必要がある。なお、さらに螺旋状突起を、(Ｗ＋５)／Ｐ回転分以上断続させることがより好ましい。
【００２１】
ベルマウス１０には、螺旋状突起１２ａ〜１２ｈが形成されているので、螺旋状突起を傷付けずにベルマウスを切断して、ベルマウスの長さを調整することができる。螺旋状突起１２ａ〜１２ｈが傷付いてバリなどが生じると、ねじ込みの際に作業の妨げになるおそれがあるが、ベルマウス１０は、螺旋状突起を傷付けずに浅溝１２ｉ〜１２oのいずれかで切断することができるので、このような問題が起こらない。
ストレート部１３は、ハンドホールに穿設した複数の配管用貫通孔に嵌る大きさの略円筒形状の寸胴の部分である。
【００２２】
接続部材２０は、鍔部２１を介して鍔部２１の両側に筒部２２、２３を有する。一方の筒部２２の内面には、螺旋状突起１２ａ〜１２ｈがねじ込まれるねじ受け部２２ａを有し、他方の筒部２３には、長尺配管を接続する接続部２３ａを有する。
【００２３】
ねじ受け部２２ａは、鍔部２１の内面、筒部２３の内面まで続いている。ねじ受け部２２ａが筒部２３の内面まで続いていることにより、ねじ受け部２２ａの長さを長くとることができ、ベルマウスを長くねじ込むことができる。よって、ベルマウスが安定するとともに、ねじ込まれたベルマウスのおかげで、力がかかり易い鍔部２１の部分の強度が増す。
【００２４】
筒部２２の外面には、ベルマウス側の開口部分に隣接するストレート部２２ｂと、鍔部２１に隣接するストレート部２２ｃを有する。ストレート部２２ｂ、２２ｃは、ストレート部１３と同様に、ハンドホールに穿設した複数の配管用貫通孔に丁度嵌る大きさの略円筒形状の寸胴の部分である。ストレート部１３、２２ｂ、２２ｃを設けることにより、配管用貫通孔に接続部材セット１を取り付けたときに、ガタがなく固定され、且つ止水性が向上する。なお、鍔部２１と筒部２２とは一体成形されていることが好ましい。鍔部２１と筒部２２とを一体成形すれば、この部分の強度が向上し、且つ、鍔部２１と筒部２２との間から水が漏れることがないのでこの部分の止水対策が不要となる。
【００２５】
筒部２２の外周面（図１中のＡの位置）に止水シート（図示せず）が設けられている。止水シートは、樹脂フォーム、吸水性繊維及びゴムシール材等である。樹脂フォームは、止水性と反発性とを有し、圧力を加えることにより、例えば容易に元の半分以下の厚さに変形し、圧力を戻すと元の厚さに戻ることができるものが好ましい。なお樹脂フォームは、吸水により体積膨張するウレタンフォームであることが好ましい。吸水性繊維は、止水性を有し、多量の水を素早く吸収することができ、多少の圧力を加えても離水しないものが好ましい。なお、吸水性繊維は、吸水により体積膨張する複合機能繊維であることが好ましい。ゴムシール材はゴム弾性及びシール性を有し、吸水により体積膨張するものが好ましい。ゴムシール材はゴム弾性及びシール性により初期止水し、その後は吸水により体積膨張することにより長期的に止水する。
【００２６】
また、鍔部２１のベルマウス１０側の鍔面（図１中のＢの位置）にも、筒部２２の外周面(図1中のＡの位置）と同様の止水シート（図示せず）を設けることが好ましい。筒部２２の外周面（図１中のＡの位置）と鍔部２１のベルマウス１０側の鍔面（図１中のＢの位置）との両方に止水シートを設けることにより、より高い止水性を得ることができる。
【００２７】
また、ベル部１１の外周面（図１中のＣの位置）にも、鍔部２１のベルマウス１０側の鍔面（図１中のＢの位置）と同様に止水シート（図示せず）を設けることが好ましい。ベル部１１の外周面（図１中のＣの位置）に止水シートを設けることにより、より高い止水性を得ることができる。
【００２８】
図２は、接続部材２０を接続部２３ａの側から見た外観図である。
接続部２３ａは、独立波形のＦＥＰ管を接続することを想定しており、接続部２３ａの内周円に複数の凸部２３ｂと、凸部２３ｂの間に交互に設けられた複数の切れ込み２３ｃ及び複数の連続部２３ｄとを有する。凸部２３ｂはＦＥＰ管の溝に係合する。切れ込み２３ｃは、独立波形の管を接続する場合にねじ込むことができないので、押し込んで挿入するために設けられたものである。
【００２９】
連続部２３ｄは、隣り合う凸部２３ｂの間にあって、切れ込み２３ｃがなく連続する部分であり、ＦＥＰ管を抜き差しする際に、接続部２３ａが中心軸Ｘの方向に伸びないように強度を高めている。ＦＥＰ管を管軸方向に力を掛けて押し込めば、独立波形の山部が切れ込み２３ｃを開いて挿入後に、独立波形の谷部を包む様に閉じて接続が完了する。
【００３０】
図３は、凸部２３ｂの短手方向断面の拡大図である（図２中の一点差線Ｙで切断したもの）。図３の下側が接続部２３ａの内面側に相当し、図３の上側が接続部２３ａの外面側に相当する。
図３に示すように、凸部２３ｂは、ＦＥＰ管側のみに勾配Ｅをつけている。なお、勾配をＦＥＰ管側のみにつけた場合には、ＦＥＰ管が差し込み易く、且つ抜け難くなるので好ましい。
接続部２３ａの内周面（図１中のＤの位置）には、筒部２２の外周面(図１中のＡの位置）と同様の止水シート（図示せず）が設けられていることが好ましい。
【００３１】
キャップ部材３０は、凸部２３ｂの外周側の窪みに係合する複数の凸部３１を有する。切れ込み２３ｃを利用して、複数の凸部２３ｂをＦＥＰ管の溝に係合させて、接続部材２０に独立波形のＦＥＰ管を押し込んで接続した後で、凸部２３ｂの外周側の窪みに凸部３１を係合させることにより、切れ込み２３ｃを押し開いて管が抜け出すのを抑制するので、ＦＥＰ管が接続部材２０から容易に外れることがない。
【００３２】
本発明のベルマウスは、仮想円と交差する部分の螺旋状突起が欠落するように螺旋状突起を断続させているので、螺旋状突起を傷付けずにベルマウスを切断して、ベルマウスの長さを調整することができる。螺旋状突起が傷付いてバリなどが生じると、ねじ込みの際に作業の妨げになったり、ケーブル類の挿通作業及び挿通後の安全性に悪影響を及ぼすおそれがあるが、本発明のベルマウスは、螺旋状突起を傷付けずに切断することができるので、このような問題が起こらない。
【００３３】
また、本発明の接続部材セットを使用すると、接続部材の筒部の外周面に止水シートが設けられているので、ＦＥＰ管との接続部分において、地下水や雨水がハンドホール内に浸入してハンドホール内でケーブル類に錆を生じさせるという問題も防止できる。
【符号の説明】
【００３４】
１    接続部材セット
１０    ベルマウス
１１    ベル部
１１ａ  ベル
１２    円筒
１２ａ〜１２ｈ  螺旋状突起
１２ｉ〜１２ｏ  浅溝
１３    ストレート部
２０    接続部材
２１    鍔部
２２    円筒
２２ａ  ねじ受け部
２２ｂ、２２ｃ  ストレート部
２３    円筒
２３ａ  接続部
２３ｂ  凸部
２３ｃ  切れ込み
２３ｄ  連続部
３０    キャップ部材
３１    凸部
【図１】
2014207762.tif 000003
【図２】
2014207762.tif 000004
【図３】
2014207762.tif 000005
【図４】
2014207762.tif 000006
【図５】
2014207762.tif 000007
【図７】
2014207762.tif 000008
【図８】
2014207762.tif 000009
【図６】
2014207762.tif 000010
【図９】
2014207762.tif 000011